(57)【要約】【課題】骨密度測定装置などのＸ線測定装置において、Ｘ線発生器の効果的な空冷を行えるようにする。【解決手段】筐体１２の前面側には前面シャッタ部３０が設けられ、その上面側には上面シャッタ部４３が設けられている。Ｘ線発生器１８の近傍には近傍ファンユニット３４が設けられ、筐体１２の底壁には下面ファンユニット４０が設けられている。空冷制御部はそれらの通気機構及び送風機構を装置の稼動状況に応じて制御する。これにより、測定中の状況と測定中以外の状況とで筐体１２内における空気の流れ方を異ならせることが可能である。【選択図】図１
2013220233.tif 000002
【特許請求の範囲】
【請求項１】
被検体に対してＸ線を照射し被検体を透過したＸ線を検出するＸ線測定装置において、
筺体と、
前記筺体の内部に設けられ、
前記被検体に対して照射するＸ線を発生するＸ線発生器と、
前記筺体の内部と外部とを連通させる通気機構と、
前記通気機構と共に前記筐体内において前記Ｘ線発生器を空冷する送風機構と、
前記通気機構及び前記送風機構の少なくとも一方の動作を制御することにより、前記筐体内における空気の流れ方を変更する制御手段と、
を含むことを特徴とするＸ線測定装置。
【請求項２】
請求項１記載の装置において、
前記制御手段は、測定中の状況と測定中以外の状況とで前記筐体内における空気の流れ方を異ならせる、ことを特徴とするＸ線測定装置。
【請求項３】
請求項２記載の装置において、
前記測定中以外の状況には空冷優先の状況と生体優先の状況とがあり、
前記制御手段は、前記測定中の状況と前記空冷優先の状況と前記生体優先の状況とで前記筐体内における空気の流れ方を異ならせる、ことを特徴とするＸ線測定装置。
【請求項４】
請求項１記載の装置において、
前記通気機構は少なくとも１つのシャッタ付き通気口を有し、
前記制御手段は前記少なくとも１つのシャッタ付き通気口の動作を制御する、ことを特徴とするＸ線測定装置。
【請求項５】
請求項４記載の装置において、
前記通気機構は、操作者が位置する操作者空間に向いた第１のシャッタ付き通気口を有し、
前記制御手段は、少なくとも測定中において前記第１のシャッタ付き通気口を開状態とする、ことを特徴とするＸ線測定装置。
【請求項６】
請求項４記載の装置において、
前記通気機構は、測定中に被検体を収容する被検体空間に向いた第２のシャッタ付き通気口を有し、
前記制御手段は、少なくとも測定中において前記第２のシャッタ付き通気口を閉状態とする、ことを特徴とするＸ線測定装置。
【請求項７】
請求項６記載の装置において、
前記通気機構は、下方に向いた第３の通気口を有し、
前記送風機構は、前記第３の通気口に設けられた下方空冷ファンを有し、
前記制御手段は、前記第２のシャッタ付き通気口が開状態となった場合に前記下方空冷ファンを吸い込み動作させる、ことを特徴とするＸ線測定装置。
【請求項８】
請求項７記載の装置において、
前記第２のシャッタ付き通気口は前記被検体を載置する載置面の奥側に設けられ、
前記第３の通気口は前記筐体の底面板における奥側に設けられた、ことを特徴とするＸ線測定装置。
【発明の詳細な説明】
【技術分野】
【０００１】
本発明はＸ線測定装置に関し、特に、載置台上に載せられた被検者に対してＸ線を照射することにより骨密度を測定する装置に関する。
【背景技術】
【０００２】
Ｘ線測定装置の一種である骨密度測定装置は、生体中の腰椎、大腿骨等についての骨密度を測定する装置であり、それは骨塩量測定装置とも称されている（特許文献１、２）。具体的には、一般に、被検体に対して高エネルギーＸ線及び低エネルギーＸ線が交互に照射されて各照射時の透過Ｘ線が検出される。二種類のＸ線の照射によって得られた２つの検出データから骨密度が演算される（二重Ｘ線エネルギー吸収測定法（DEXA法））。
【０００３】
従来の骨密度測定装置は、一般に、Ｘ線発生器及び載置面(テーブル面)を有する下部、載置面の上方に設けられＸ線検出器を有する上部、及び、それらを連結する支柱を備える。Ｘ線発生器とＸ線検出器は機構上一体化され、両者が同時に移動走査される。上部にＸ線発生器を設け、下部にＸ線検出器を設けることも可能である。レントゲン撮影で利用されるブッキーテーブルを載置台として利用することも可能であり、その場合には、ブッキーテーブルの下側に下部が差し込まれる（特許文献３）。
【０００４】
Ｘ線発生器においてはＸ線の発生に伴い、多大な熱が発生する。Ｘ線発生器が一定温度まで達すると、その動作を強制停止させる制御が実行される。そのような事態が生じないようにＸ線発生器の温度上昇を抑制することが必要であり、そのために骨密度測定装置には空冷機構が搭載されている。具体的には、例えば、下部内においてＸ線発生器の近傍に冷却ファンが設けられ、また、下部の背面側に排気口が設けられている。Ｘ線発生器周囲の温かい空気がファンによって排気口へ運ばれ、そこから外部に放出される。なお、特許文献４には、人感センサの検出信号に従って冷却装置の冷却能力を切り換えることが可能なＸ線診断装置が開示されている。
【先行技術文献】
【特許文献】
【０００５】
【特許文献１】特開２０１１−２４４８７３号公報
【特許文献２】特開２０１２−５５４５１号公報
【特許文献３】特開２００３−３２５４９７号公報
【特許文献４】特開２０１１−１１０３４１号公報
【発明の概要】
【発明が解決しようとする課題】
【０００６】
以上のように、Ｘ線測定装置においては、Ｘ線発生器の冷却が必要であるが、従来においては必ずしも十分な冷却を行えていない。これに対して、排気口数の増大、冷却用ファン数の増大、等の対策が考えられる。しかし、例えば、骨密度測定装置において、測定中に、下部から無造作に上方へ排気を行えば、被検者に暖められた空気が当たって不快感を生じさせてしまう。また、測定準備中に、下部から無造作に前面側に排気を行うと、そこに存在する被検者に暖められた空気が当たって不快感を生じさせてしまう。前面側から無造作に空気の取込みを行うならば、操作者の動きに伴って舞い上がった塵等を下部内に取り込み易くなる。
【０００７】
本発明の目的は、Ｘ線発生器の効果的な空冷を行えるようにすることにある。あるいは、被検者及び検査者に迷惑とならないように、また装置の健全性の確保を前提として、空冷能力を高めることにある。
【課題を解決するための手段】
【０００８】
本発明は、被検体に対してＸ線を照射し被検体を透過したＸ線を検出するＸ線測定装置において、筐体と、前記筐体の内部に設けられ、前記被検体に対して照射するＸ線を発生するＸ線発生器と、前記筺体の内部と外部とを連通させる通気機構と、前記通気機構と共に前記筐体内において前記Ｘ線発生器を空冷する送風機構と、前記通気機構及び前記送風機構の少なくとも一方の動作を制御することにより、前記筐体内における空気の流れ方を変更する制御手段と、を含むものである。
【０００９】
上記構成によれば、制御手段が通気機構及び送風機構の少なくとも一方の動作を制御することにより筐体内における空気の流れ方、とりわけ流れ道、流れルートを変更する。通気機構は例えば１又は複数の通気口（排気口、吸引口）により構成され、制御対象となる通気口は望ましくは開閉機構付き通気口として構成される。送風機構は例えば１又は複数の送風機により構成され、送風機のオンオフや送風度が制御される。装置稼働状況、特に被検体（被検者）や操作者（検査者）が近くにいるか否か、に応じて空気の流れ方を変更するのが望ましい。例えば、操作者が筐体手前側の空間（操作者空間）に存在することが想定されない状況（測定中等）において、操作者空間から吸気を行っても塵等を吸い込む可能性は低く、逆に操作者空間へ排気を行っても操作者に対して温風を直接吹き付けることになる可能性は低い。よって、そのような状況においては吸気又は排気の対象となるアクセス空間を増大して空冷を優先させるのが望ましい。また、測定時の被検体収容空間（被検体空間）に被検体が存在することが想定されない状況（測定準備中等）において、被検体空間から吸気を行っても塵等を吸い込む可能性は低く、逆に被検体空間へ排気を行っても被検体に対して温風を直接吹き付けることになる可能性は低い。よって、そのような状況においては吸排気対象となるアクセス空間を増大して空冷を優先させるのが望ましい。望ましくは、空気の流れ方の変更つまり流れルートの変更は上記のようなアクセス空間（換言すれば空冷用吸排気経路）の増減を意味する。
【００１０】
望ましくは、前記制御手段は、測定中の状況と測定中以外の状況とで前記筐体内における空気の流れ方を異ならせる。上記のように、測定中においては被検体が被検体空間内に位置決められるから、少なくとも当該被検体空間に対して吸気や排気が行われないようにするのが望ましい。一方、測定中以外の状況であって被検体が被検体空間に存在しないかその可能性が低ければ被検体空間に対して吸気や排気を行うことも可能となる。測定直前及び測定直後においては被検体空間に対する被検体の出入りが生じるから、そのような状況においては当該空間に対して吸気や排気が行われないようにするのが望ましい。
【００１１】
望ましくは、前記測定中以外の状況には空冷優先の状況と生体優先の状況とがあり、前記制御手段は、前記測定中の状況と前記空冷優先の状況と前記生体優先の状況とで前記筐体内における空気の流れ方を異ならせる。空冷優先の状況は例えば被検体空間に被検者が存在しない可能性が高い状況であり、生体優先の状況は例えば被検体空間に被検体が存在する可能性が高い状況である。
【００１２】
望ましくは、前記通気機構は少なくとも１つのシャッタ付き通気口を有し、前記制御手段は前記少なくとも１つのシャッタ付き通気口の動作を制御する。この構成によれば、通気口の開閉によって当該通気口を経由した空気路をオンオフ制御できる。つまり、吸気又は排気の経路の開閉を行える。
【００１３】
望ましくは、 前記通気機構は、操作者が位置する操作者空間に向いた第１のシャッタ付き通気口を有し、前記制御手段は、少なくとも測定中において前記第１のシャッタ付き通気口を開状態とする。測定中においてはＸ線による被曝防止の観点から操作者は別室へ退避するのが一般的であり、つまり操作者は筐体手前側の操作者空間に存在しないから、その操作者空間からの吸気やその操作者空間への排気が可能となる。そこで、筐体の前面板に第１のシャッタ付き通気口を設けるのが望ましい。
【００１４】
望ましくは、前記通気機構は、測定中に被検体を収容する被検体空間に向いた第２のシャッタ付き通気口を有し、前記制御手段は、少なくとも測定中において前記第２のシャッタ付き通気口を閉状態とする。この構成によれば被検体空間を吸気対象又は排気対象にすることが可能となる。
【００１５】
望ましくは、前記通気機構は、下方に向いた第３の通気口を有し、前記送風機構は、前記第３の通気口に設けられた下方空冷ファンを有し、前記制御手段は、前記第２のシャッタ付き通気口が開状態となった場合に前記下方空冷ファンを吸い込み動作させる。この構成によれば下方空間を吸気対象又は排気対象として利用することが可能である。第２のシャッタ付き通気口が開状態となった場合、通気口の面積が増大するため、それに応じて吸引能力又は排気能力を増強するものである。
【００１６】
望ましくは、前記第２のシャッタ付き通気口は前記被検体を載置する載置面の奥側に設けられ、前記第３の通気口は前記筐体の底面板における奥側に設けられる。この構成によれば載置面の奥側において上下方向の流通経路を確保できる。
【発明の効果】
【００１７】
本発明によれば、Ｘ線発生器の効果的な空冷を行える。あるいは、被検者及び検査者に迷惑とならないように、また装置の健全性の確保を前提として、空冷能力を高められる。
【図面の簡単な説明】
【００１８】
【図１】本発明に係る骨密度測定装置の右側面図である。
【図２】図１に示した骨密度測定装置の概略的な正面図である。
【図３】図１に示した骨密度測定装置が有する機能を説明するブロック図である。
【図４】図１に示した骨密度測定装置における冷却制御を説明するためのフローチャートである。
【図５】スタンバイ状況における冷却状態を示す図である。
【図６】測定準備状況における冷却状態を示す図である。
【図７】測定中における冷却状態を示す図である。
【発明を実施するための形態】
【００１９】
以下、本発明の好適な実施形態を図面に基づいて説明する。
【００２０】
図１には、Ｘ線測定装置としての骨密度測定装置が示されている。この骨密度測定装置は病院等の医療機関に設置され、被検体に対してＸ線の照射を行って骨密度を測定する装置である。測定対象としては腰椎、大腿骨等が挙げられる。もちろん、他の部位の測定が行われてもよい。
【００２１】
図１において、骨密度測定装置１０は下部フレームを構成する筐体１２を有している。筐体１２は箱状の形態を有し、その上面には載置台を構成する天板が設けられている。符号１４は天板上面としての載置面を示している。天板は例えばアクリルなどのＸ線透過部材により構成されている。
【００２２】
筐体１２の内部には可動体の一部を構成するＸ線発生器１８が設けられている。Ｘ線発生器１８はＸ線発生管１９を有しており、そのＸ線発生管１９によりＸ線が生成される。Ｘ線発生器１８の被検体１６側にはフィルタユニット２１が設けられている。フィルタユニット２１は高エネルギーＸ線及び低エネルギーＸ線を交互に照射するためのフィルタ円板あるいはドラム型フィルタを備えている。図においては、Ｘ線ビームとしてファンビーム２０が形成されている。すなわち、載置面１４上において人体としての被検体１６は仰向け状態で横たわっており、例えばその腰椎に対してファンビーム２０が照射される。
【００２３】
移動機構２２は、Ｘ線発生器１８及びフィルタユニット２１を含む可動体を、図１においてＸ方向及びＺ方向に直交する方向としてのＹ方向に運動させる機構である。もちろん、Ｘ線発生器１８等がＸ方向に運動するように構成されてもよい。そのような場合においてはＸ方向における奥側（図において右側）が原点位置となる。
【００２４】
筐体１２内の可動部分は支柱２４を介して上部２６に連結されている。すなわち、筐体１２内の可動部分と支柱２４と上部２６とで可動体が構成されており、それらが一体的に移動機構２２によってＹ方向に駆動される。上部２６は天板から見て被検体収容空間（被検体空間）を介した上方に設けられており、その内部にはＸ線検出器２８が設けられている。それはファンビーム２０に対応した直線配列された複数のセンサにより構成されるものである。Ｘ線発生器１８等がＸ方向にも移動走査される場合、それに伴ってＸ線検出器２８も同じ方向に移動走査される。後に説明するように、上部２６をその奥側の部分を回転軸として上方に跳ね上げ運動させることが可能である。
【００２５】
筐体１２における前面板１２Ａには前面シャッタ部３０が設けられている。本実施形態において前面シャッタ部３０は複数のシャッタ付通気口により構成されており、前面板１２Ａの手前側（図において左側）における操作者空間からの空気の取り込みが可能となっている。各通気口に設けられたシャッタは後に説明するように開閉制御される。
【００２６】
Ｘ線発生器１８の近傍には、近傍ファンユニット３４が設けられている。この近傍ファンユニット３４は本実施形態において複数の空冷ファンにより構成されている。各空冷ファンはＸ方向における奥行き方向へ空気を送り込むものである。これによってＸ線発生器１８が空冷される。必要に応じてＸ線発生器１８の外表面上に多数のフィンが設けられる。本実施形態において、各冷却ファンはＸ線発生器１８のケースに固定されている。
【００２７】
筐体１２における下面板（底面板）には本実施形態において複数の通気口３８が設けられている。それらに隣接して下面ファンユニット４０が設けられている。その下面ファンユニット４０は各通気口ごとに設けられた冷却ファンにより構成される。各冷却ファンは通気口３８を介して下側から空気を内部に取り込むものである。
【００２８】
筐体１２における背面板（後面板）には通気口４２が形成されており、本実施形態においては複数の通気口４２が形成されている。それは空気を排出する排出口として機能するものである。通気口４２内にフィルタや格子等を設けるようにしてもよい。
【００２９】
筐体１２における上面板（特に天板の奥側）には上面シャッタ部４３が設けられている。上面シャッタ部４３は複数のシャッタ付き通気口により構成される。各通気口は上方に向けて空気を排出するものである。各シャッタの動作は後に説明するようにオンオフ制御される。
【００３０】
上面シャッタ部４３から上方に排出される空気は被検体収容空間（被検体空間）に流れ込む。したがって、そのような排出は被検体１６が載置面１４上に存在していない場合において行われる。先に説明した前面シャッタ部３０も操作者空間内に操作者がいる可能性が低い場合において開動作し、前面側からの空気が筐体１２内部に取り込まれる。装置の稼動状況に応じて筐体内部における空冷用の空気の流れルートが切り替えられており、すなわち流れ状態が動的に可変設定される。
【００３１】
図２には骨密度測定装置の概略的な正面図が示されている。上述した前面シャッタ部は図示される例において２つのシャッタ付通気口３０Ａ，３０Ｂにより構成されている。それらはＹ方向に並んでいる。Ｘ線発生器には上述したように近傍ファンユニットが設けられ、それらは図示の例において２つの空冷ファン３４Ａ，３４Ｂにより構成されている。それらは可動体の運動に伴ってＹ方向に運動する。またＸ線発生器がＸ方向にも運動する場合、空冷ファン３４Ａ，３４ＢもＸ方向に運動する。
【００３２】
上面シャッタ部は図示の例において２つのシャッタ付通気口４３Ａ，４３Ｂにより構成されている。それらはＹ方向に一定距離隔てて設けられている。その配列と同様の配列をもって下面ファンユニットとして２つの空冷ファン４０Ａ，４０Ｂが設けられており、また筐体における底面板には２つの通気口３８Ａ，３８Ｂが形成されている。それらによって下側から吸い上げられた空気が上方のシャッタ付通気口４３Ａ，４３Ｂを経由して上方へ逃がすことが可能である。図２においては背面側に設けられている複数の通気口については図示省略されている。
【００３３】
図２において、近傍ファンユニットが２つの空冷ファン３４Ａ，３４Ｂで構成され、また他のユニット及び他のシャッタ部も２つの要素により構成されていたが、それぞれ単一の要素により構成されてもよく、あるいは３つ以上の要素により構成されてもよい。図２においては載置台１４上に被検者としての被検体４４が載置されており、具体的には仰向けの姿勢で載置台１４上に被検体４４が載せられている。ファンビームをＹ方向に走査することにより、２次元のデータ取り込み領域が形成される。もっとも幅の狭いファンビームあるいはペンシルビームをＸ方向及びＹ方向にジグザグスキャンするようにしてもよい。
【００３４】
図３には機能ブロック図が示されている。制御部５０によりＸ線発生器１８、フィルタユニット２１及び移動機構２２の動作が制御されている。Ｘ線検出器２８からの信号は骨密度演算部４６に送られており、骨密度演算部４６はDEXA法に基づいて骨密度画像を形成する。そのような画像が表示部４８に表示される。制御部５０は冷却制御部５２を有しており、冷却制御部５２は近傍ファンユニット３４、下面ファンユニット４０、前面シャッタ部３０及び上面シャッタ部４３の動作を制御している。より具体的には、以下に説明するように、冷却制御部５２は装置稼動状況に応じて筐体内部における空気の流れ状態が最適化されるように、しかも被検体や操作者に対して温風が不必要に当たらず、また塵などが装置内部に不必要に入らないように、適切な空冷制御を実現している。
【００３５】
図４には、冷却制御部５２の制御内容がフローチャートとして示されている。Ｓ１０はスタンバイ状態における動作条件を示している。図５に示されるように、スタンバイ状態においては載置面１４上に被検体が載せられておらず、またＸ線の照射も行われていない。これは初期状態または測定完了後の状態に相当する。スタンバイ状態では図４に示されるように、前面シャッタ部３０が閉状態とされ、前面側からの空気の取り込みが制限される。すなわちスタンバイ状態においては操作者が装置の手前側に位置する可能性があり、前面側からの空気の取り込みを行うと、操作者の動き等に起因して塵等が装置内部に入りやすくなるため、前面シャッタ部３０が閉状態とされる。また、スタンバイ状態においては、上面シャッタ部４３が開状態とされる。これにより、本体内部からの空気が符号１０６で示すように、被検体空間へ放出される。スタンバイ状態においては被検体は載置面１４上に存在しないため、このような温風の放出が許容されうる。
【００３６】
筐体１２の内部においては、近傍ファンユニット３４が動作し、Ｘ線発生器に対して空気が吹き付けられ、その空気が筐体１２の奥側へ送り出される。一方、下面ファンユニット４０の動作も行われており、下部から空気が取り込まれて筐体１２の内部に送り込まれる。したがって、近傍ファンユニット３４及び下面ファンユニット４０から筐体１２の内部の奥側に送り出された空気が通気口４２を介して符号１０４で示すように背面側へ放出され、またそれとともに上面シャッタ部４３を介して符号１０６で示すように、上方へ放出される。このように排出経路として２経路設定されるため、筐体中の１２内部の空気循環が効率的となり、空冷効果が高められる。特に測定完了後において、Ｘ線発生器はかなりの熱を帯びているため、このスタンバイ状態において、効果的な空冷を行うことにより、Ｘ線発生器の加熱を防止できるという利点が得られる。
【００３７】
図４において、Ｓ１２は被検体の位置決め時の動作条件を示している。図６に示されるように、この状態においては操作者４６が筐体の前面側に位置し、操作者４６により上部２６が上方に跳ね上げられる。その状態で被検者としての被検体１６が載置面１４上に載せられる。このような位置決め状態においては前面シャッタ部３０が閉状態となり、また上面シャッタ部４３も閉状態となる。例えば、上部２６を上方へ回動させる運動を検出して、位置決め状態への移行を認識するようにしてもよい。あるいは操作者において入力部を利用して位置決め状態への移行を指示するようにしてもよい。
【００３８】
位置決め状態においては近傍ファンユニット３４の動作が継続され、下面ファンユニット４０の動作は停止される。これにより、下側からの吸い込みが制限される。このような位置決め状態においては、符号１００で示されるように、近傍ファンユニット３４により後方に送り出される空気が通気口４２を介して符号１０４で示すように背面側へ排出される。
【００３９】
すなわち、この位置決め状態においては、前面側から筐体の内部へ塵などが取り込まれることはなく、また温風が被検体１６に対して送り出されてしまうこともない。従来同様に背面側にだけ温風が送り出される。
【００４０】
図４において、Ｓ１４は測定状態における動作条件を示している。図７には測定状態が示されており、この測定状態においては前面シャッタ部３０が開状態となる。これにより、符号１０８で示されるように前面側からの空気が筐体の内部へ取り込まれる。すなわち測定中においては操作者は別室に退避しているのが一般的であり、装置の前面側には操作者は存在しないため前面側からの空気の取り込みが許容される。
【００４１】
上面シャッタ部４３は閉状態とされ、被検体空間への温風の放出は制限される。下面ファンユニット４０の動作も停止されたままとなる。これにより前面側から取り込まれた空気が近傍ファンユニット３４の作用により符号１００で示すように装置奥側へ送られ、その温風が通気口４２を介して符号１０４で示すように背面側へ放出される。このように筐体を前後に貫通する空気経路が形成される。図４において、測定状態Ｓ１４が完了すると、可動体が原点に復帰する運動を行うことになるが、そのような稼動状況においても基本的に測定状態と同様の空冷制御が行われる。
【００４２】
Ｓ１６においては、次の被検者に対する測定を行うか否かが判断され、次の被検者に対する測定を行う場合にはＳ１０へ制御が移行する。本実施形態においては測定状態Ｓ１４の完了後において、操作者が装置にアプローチする時点でＳ１２に示した位置決め状態と同様の被検者退出状態が形成され、その上でＳ１０に示したスタンバイ状態が形成される。もちろん操作者の動きや測定シーケンス等に応じて各状態における動作条件を自在に設定することが可能である。
【００４３】
いずれにしても本実施形態においては前面側からの空気の取り込み及び下面側からの空気の取り込みを行えるように通気口が設けられ、また背面側の通気口の他、上面側にも通気口を設けたので、更に近傍ファンユニットの他に下面側にもファンユニットを設けたので、それらの通気機構や送風機構を状況に応じてオンオフ制御することで状況に応じた相応しい空気の流通ルートを形成しこれによって冷却効率をシーケンス全体として著しく高めることが可能である。その結果、Ｘ線発生器が上限温度に到達する可能性を低減でき、またその時期を遅らせることができるから骨密度測定装置の動作信頼性を高めることが可能である。
【００４４】
ちなみに、一連の測定シーケンスにおける各状態の判定はセンサや他の信号に基づいて行うことができ、あるいは操作者の入力に基づいて行うことが可能である。制御部内において各状態ごとに動作条件を指定できるように構成し、これによって冷却条件をユーザーによって可変設定できるように構成することもできる。本実施形態においては前面側からの空気の取り込みが行われていたが、前面側への温風の排出を行うように構成することもでき、また下面側への温風の排出を行わせることも可能である。本実施形態においては、図２に示した正面図において左右の側面には通気口が形成されていなかったが、その部分に通気口を形成することも可能である。
【００４５】
本実施形態においては、前面側に設けられた通気口及び上面側に設けられた通気口にそれぞれシャッタ機構が設けられており、通常そのようなシャッタ機構は金属部品として構成されるため、各シャッタが閉状態となった場合にはシールド効果を期待できる。すなわち電磁波や散乱Ｘ線の漏洩を阻止あるいは軽減できるという利点ができる。
【００４６】
以上説明した冷却機構及び冷却制御を骨密度測定装置以外のＸ線測定装置に適用することも可能である。そのような装置としては例えばレントゲン撮影装置等を挙げることができる。
【符号の説明】
【００４７】
１０  骨密度測定装置、１２  筐体、１４  載置面、１６  被検体、１８  Ｘ線発生器、２１  フィルタユニット、２４  支柱、２６  上部、２８  Ｘ線検出器、３０  前面シャッタ部、３４  近傍ファンユニット、４０  下面ファンユニット、４２  通気口、４３  上面シャッタ部。
【図１】
2013220233.tif 000003
【図２】
2013220233.tif 000004
【図３】
2013220233.tif 000005
【図４】
2013220233.tif 000006
【図５】
2013220233.tif 000007
【図６】
2013220233.tif 000008
【図７】
2013220233.tif 000009